(57)【要約】【課題】利便性を損なわずに消費電力を低減することができる通信装置、電源起動方法、及び、プログラムを提供する。【解決手段】通信装置１００は、当該通信装置１００の加速度を検出する加速度センサ１１０を備え、加速度センサ１１０によって検出された加速度に基づいて、当該通信装置１００のユーザの歩数をカウントし、カウントした歩数（歩数カウント値Ｔ）が予め設定された電源起動判定値Ｋに達した場合に、当該通信装置１００の各部の電源をＯＮにする。【選択図】図１
2020188339.tif 000002
【特許請求の範囲】
【請求項１】
通信装置の加速度を検出する加速度センサを備え、
前記加速度センサによって検出された加速度に基づいて、前記通信装置のユーザの歩数をカウントし、カウントした前記歩数が予め設定された閾値に達した場合に、前記通信装置の各部の電源をＯＮにする、通信装置。
【請求項２】
前記通信装置の位置を推定する位置推定部と、
前記通信装置の位置毎に前記閾値を記憶する記憶部と、
を備え、
前記通信装置は、前記位置推定部によって推定された前記通信装置の位置に対応する前記閾値に、カウントした前記歩数が達した場合に、前記通信装置の前記各部の電源をＯＮにする、請求項１に記載の通信装置。
【請求項３】
前記通信装置の前記各部の電源をＯＦＦするメニューとして、前記通信装置の全ての前記各部の電源をＯＦＦする第１のモードと、前記通信装置の前記ユーザの前記歩数をカウントするのに必要な部分以外の前記各部の電源をＯＦＦする第２のモードとを表示する表示部と、
前記ユーザが前記第１のモード又は前記第２のモードを選択するための操作部と、
を更に備える、請求項１又は２に記載の通信装置。
【請求項４】
通信装置が、
加速度センサによって検出された前記通信装置の加速度に基づいて、前記通信装置のユーザの歩数をカウントし、
カウントした前記歩数が予め設定された閾値に達した場合に、前記通信装置の各部の電源をＯＮにする、電源起動方法。
【請求項５】
前記通信装置が、
当該通信装置の位置を推定し、
当該通信装置の位置毎に前記閾値を記憶し、
推定した前記通信装置の位置に対応する前記閾値に、カウントした前記歩数が達した場合に、前記通信装置の前記各部の電源をＯＮにする、請求項４に記載の電源起動方法。
【請求項６】
前記通信装置が、
前記通信装置の前記各部の電源をＯＦＦするメニューとして、前記通信装置の全ての前記各部の電源をＯＦＦする第１のモードと、前記通信装置の前記ユーザの前記歩数をカウントするのに必要な部分以外の前記各部の電源をＯＦＦする第２のモードとを表示し、
前記ユーザが前記第１のモード又は前記第２のモードを選択する信号を受信する、請求項４又は５に記載の電源起動方法。
【請求項７】
通信装置に、
加速度センサによって検出された前記通信装置の加速度に基づいて、前記通信装置のユーザの歩数をカウントする処理と、
カウントした前記歩数が予め設定された閾値に達した場合に、前記通信装置の各部の電源をＯＮにする処理と、
を実行させる、プログラム。
【請求項８】
前記通信装置に、
当該通信装置の位置を推定する処理と、
当該通信装置の位置毎に前記閾値を記憶する処理と、
推定した前記通信装置の位置に対応する前記閾値に、カウントした前記歩数が達した場合に、前記通信装置の前記各部の電源をＯＮにする処理と、
を実行させる、請求項７に記載のプログラム。
【請求項９】
前記通信装置に、
前記通信装置の前記各部の電源をＯＦＦするメニューとして、前記通信装置の全ての前記各部の電源をＯＦＦする第１のモードと、前記通信装置の前記ユーザの前記歩数をカウントするのに必要な部分以外の前記各部の電源をＯＦＦする第２のモードとを表示する処理と、
前記ユーザが前記第１のモード又は前記第２のモードを選択する信号を受信する処理と、
を実行させる、請求項７又は８に記載のプログラム。
【発明の詳細な説明】
【技術分野】
【０００１】
本発明は、通信装置、電源起動方法、及び、プログラムに関する。
【背景技術】
【０００２】
モバイル機器は、電池を電源として動作するため、使用時間を長くするには、通信時以外はなるべく電源をＯＦＦする必要がある。また、ユーザが、モバイルルータのような通信装置を常時操作することは少なく、カバン等の中に入れて持ち歩くことが多い。そのため、ユーザが通信装置の電源をＯＮやＯＦＦする場合、カバン等から通信装置を一旦取出して操作する必要があった。
【０００３】
ここで、通信装置のタイマ機能を使用することにより、自動で通信装置の電源をＯＮやＯＦＦすることができる。具体的には、例えば、通信装置が子機との通信を切断した後、タイマによって計測される時間が所定時間に達した際に電源をＯＦＦすることにより、利便性を損なわずに通信装置の電源をＯＦＦすることができる。一方、電源をＯＮする場合、ユーザは、予め電源をＯＮする時刻を通信装置に入力しておく必要があり、入力した時刻以外で通信装置を使用する場合は、通信装置を操作する必要がある。そのため、通信装置の利便性が損なわれるという課題があった。
【０００４】
また、特許文献１には、ユーザの歩数に応じて、通信装置の電源のＯＮ状態を維持すること、及び電源をＯＦＦすることが記載されている。
【０００５】
また、特許文献２には、通信装置の加速度を検出することにより、ユーザの安否を確認する技術が記載されている。
【先行技術文献】
【特許文献】
【０００６】
【特許文献１】国際公開第２０１４／１７５３９４号公報
【特許文献２】特開２０１２−１８６５９９号公報
【発明の概要】
【発明が解決しようとする課題】
【０００７】
しかしながら、特許文献１に記載されている技術では、通信装置の電源をＯＮするためには、ユーザが当該通信装置を操作する必要がある。また、特許文献２に記載の技術では、加速度に応じて電源をＯＦＦ又はＯＮすることができない。
【０００８】
本発明の目的は、利便性を損なわずに消費電力を低減することができる通信装置、電源起動方法、及び、プログラムを提供することである。
【課題を解決するための手段】
【０００９】
本発明の第１の態様に係る通信装置は、当該通信装置の加速度を検出する加速度センサを備え、前記加速度センサによって検出された加速度に基づいて、前記通信装置のユーザの歩数をカウントし、カウントした前記歩数が予め設定された閾値に達した場合に、前記通信装置の各部の電源をＯＮにする。
【００１０】
本発明の第２の態様に係る電源起動方法では、通信装置が、加速度センサによって検出された前記通信装置の加速度に基づいて、前記通信装置のユーザの歩数をカウントし、カウントした前記歩数が予め設定された閾値に達した場合に、前記通信装置の各部の電源をＯＮにする。
【００１１】
本発明の第３の態様に係るプログラムは、通信装置に、加速度センサによって検出された前記通信装置の加速度に基づいて、前記通信装置のユーザの歩数をカウントする処理と、カウントした前記歩数が予め設定された閾値に達した場合に、前記通信装置の各部の電源をＯＮにする処理と、を実行させる。
【発明の効果】
【００１２】
利便性を損なわずに消費電力を低減することができる通信装置、電源起動方法、及び、プログラムを提供することができる。
【図面の簡単な説明】
【００１３】
【図１】本発明の実施の形態に係る通信装置の構成の一例を示すブロック図である。
【図２】本発明の実施の形態１に係る通信装置の構成の一例を示すブロック図である。
【図３】本発明の実施の形態１に係る通信装置の記憶部の一例を示す図である。
【図４】本発明の実施の形態１に係る通信装置の表示部の表示の一例を示す図である。
【図５】本発明の実施の形態１に係る電源起動方法の一例について説明するフローチャートである。
【図６】本発明の実施の形態１に係る通信装置の構成の一例を示すブロック図である。
【発明を実施するための形態】
【００１４】
以下、図面を参照して本発明の実施の形態について説明する。
図１は、本発明の実施の形態に係る通信装置１００の構成の一例を示すブロック図である。図１に示すように、通信装置１００は、加速度センサ１１０、アンテナ１７０等を備える。通信装置１００は、ユーザが携帯可能な通信装置である。なお、通信装置１００に備えられた各部の少なくとも一部は、当該各部毎に電源を備えている。
【００１５】
加速度センサ１１０は、通信装置１００の加速度を検出する。
通信装置１００は、加速度センサ１１０によって検出された加速度に基づいて、通信装置１００のユーザの歩数をカウントする。そして、通信装置１００は、カウントした歩数（以下、「歩数カウント値Ｔ」と称する。）が予め設定された電源起動判定値Ｋ（閾値）に達した場合に、通信装置１００の各部の電源をＯＮにする。
【００１６】
以上に説明した本発明の実施の形態に係る通信装置１００によれば、当該通信装置１００のユーザの歩数が予め設定された電源起動判定値Ｋに達した場合に当該通信装置１００の各部の電源がＯＮになる。そのため、ユーザが、予め電源をＯＮする時刻を当該通信装置１００に入力しておく必要がなく、また、入力した時刻以外で当該通信装置１００を使用する場合にも当該通信装置１００を操作する必要がない。したがって、通信装置１００の利便性が損なわれずに、通信装置１００の各部の電源をＯＮすることができる。よって、利便性を損なわずに消費電力を低減することができる通信装置１００を提供することができる。
【００１７】
実施の形態１
図１は、本発明の実施の形態１に係る通信装置１００Ａの構成の一例を示すブロック図である。図１に示すように、通信装置１００Ａは、加速度センサ１１０、記憶部１２０、制御部１３０、通信部１４０、表示部１５０、操作部１６０等を備える。通信装置１００Ａは、ユーザが携帯可能な通信装置である。なお、通信装置１００Ａに備えられた各部の少なくとも一部は、当該各部毎に電源を備えている。
【００１８】
加速度センサ１１０は、例えば、ＭＥＭＳ（Ｍｉｃｒｏ  Ｅｌｅｃｔｒｏ  Ｍｅｃｈａｎｉｃａｌ  Ｓｙｓｔｅｍｓ）等であり、通信装置１００Ａの加速度を検出する。
【００１９】
記憶部１２０は、例えば、図３に示すように、電源起動判定値Ｋ１２１、歩数カウント値Ｔ１２２等を格納する。
また、記憶部１２０は、制御部１３０が実行する各種プログラムを格納している。具体的には、記憶部１２０は、例えば、通信装置１００Ａの各部の電源をＯＦＦする電源ＯＦＦプログラムを格納している。
【００２０】
制御部１３０は、ＣＰＵ（Ｃｅｎｔｒａｌ  Ｐｒｏｃｅｓｓｉｎｇ  Ｕｎｉｔ）等を備え、通信装置１００Ａの各部を制御する。そして、制御部１３０が記憶部１２０に格納されたプログラムを実行することにより、通信装置１００Ａにおける全ての処理が実現する。具体的には、制御部１３０が記憶部１２０に格納されたプログラムを実行することにより、例えば、加速度センサ１１０、記憶部１２０、通信部１４０、表示部１５０、操作部１６０における処理が実現する。
【００２１】
また、通信装置１００Ａの記憶部１２０に格納されるプログラムは、制御部１３０に実行されることにより、通信装置１００Ａのそれぞれにおける処理を実現するためのコードを含む。なお、記憶部１２０は、例えば、このプログラムや、通信装置１００Ａにおける処理に利用される各種情報を格納することができる任意の記憶装置を含んで構成される。記憶装置は、例えば、メモリ等である。
【００２２】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２３】
具体的には、制御部１３０は、記憶部１２０に格納されている電源ＯＦＦプログラムを実行することにより、図４に示すように、表示部１５０に、「電源ＯＦＦメニュー」として、「電源ＯＦＦ」（第１のモード）と「歩数計モード」（第２のモード）とを表示させる。
【００２４】
また、制御部１３０は、ユーザが操作部１６０を操作することにより、表示部１５０に表示された「電源ＯＦＦメニュー」のうち「電源ＯＦＦ」を選択した場合、通信装置１００Ａの全ての各部の電源をＯＦＦにする。
【００２５】
また、制御部１３０は、ユーザが操作部１６０を操作することにより、表示部１５０に表示された「電源ＯＦＦメニュー」のうち「歩数計モード」を選択した場合、通信装置１００Ａの各部のうち、ユーザの歩数をカウントするのに必要な部分（例えば、少なくとも加速度センサ１１０、記憶部１２０、表示部１５０）以外の各部の電源をＯＦＦにする。
【００２６】
また、制御部１３０は、加速度センサ１１０によって検出された加速度に基づいて、当該通信装置１００Ａの振動を算出する。
【００２７】
また、制御部１３０は、算出した当該通信装置１００Ａの振動に基づいて、当該通信装置１００Ａのユーザの歩数を算出する。
また、制御部１３０は、算出したユーザの歩数を加算して、加算したユーザの歩数を歩数カウント値Ｔとして記憶部１２０に格納する。
【００２８】
また、制御部１３０は、当該歩数カウント値Ｔが記憶部１２０に格納されている電源起動判定値Ｋに達した場合に、通信装置１００Ａの各部の電源をＯＮにする。
【００２９】
通信部１４０は、アンテナ１７０を介して、無線通信等の通信を介して、他の通信装置（図示省略）との間で、情報の送受信を行う。
【００３０】
表示部１５０は、例えば、液晶ディスプレイ（Ｌｉｑｕｉｄ  Ｃｒｙｓｔａｌ  Ｄｉｓｐｌａｙ）等であり、通信装置１００Ａにおける制御部１３０の処理に応じて各種の表示を行う。例えば、表示部１５０は、図４に示すように、「電源ＯＦＦメニュー」として、「電源ＯＦＦ」と「歩数計モード」とを表示する。
【００３１】
操作部１６０は、ユーザが操作可能なボタン等を備え、ユーザが当該操作部１６０を操作することによって、当該操作部１６０から各種の制御信号が制御部１３０に入力される。例えば、ユーザが操作部１６０を操作することによって、操作部１６０から、ユーザが「電源ＯＦＦメニュー」として「電源ＯＦＦ」又は「歩数計モード」を選択する信号が制御部１３０に入力される。なお、表示部１５０がタッチパネル等のユーザによって操作可能な画面である場合には、操作部１６０は、表示部１５０に一体化されてもよい。
【００３２】
アンテナ１７０は、無線通信等の通信に用いられる電磁波を受信する。
【００３３】
次に、図５を参照しながら、本実施の形態１に係る通信装置１００Ａの電源起動方法について説明する。
まず、制御部１３０は、ユーザが操作部１６０を操作することによって、表示部１５０に表示された「電源ＯＦＦメニュー」のうち「歩数計モード」を選択したか否かを判断する（ステップＳ１）。
【００３４】
ステップＳ１において、ユーザによって「電源ＯＦＦメニュー」のうち「電源ＯＦＦ」が選択された場合（ステップＳ１；Ｎｏ）、制御部１３０は、通信装置１００Ａの全ての各部の電源をＯＦＦにし（ステップＳ２）、本処理を終了する。
【００３５】
ステップＳ１において、ユーザによって「電源ＯＦＦメニュー」のうち「歩数計モード」が選択された場合（ステップＳ１；Ｙｅｓ）、制御部１３０は、通信装置１００Ａの各部のうち、ユーザの歩数をカウントするのに必要な部分（例えば、少なくとも加速度センサ１１０、記憶部１２０、表示部１５０）以外の各部の電源をＯＦＦにする。（ステップＳ３）。
【００３６】
次に、制御部１３０は、加速度センサ１１０によって検出された加速度に基づいて、ユーザの歩数を算出し、算出したユーザの歩数を加算して、加算したユーザの歩数を歩数カウント値Ｔとして記憶部１２０に格納する（ステップＳ４）。
【００３７】
次に、制御部１３０は、ステップＳ４において記憶部１２０に格納した歩数カウント値Ｔが電源起動判定値Ｋ以上となったかを判断する（ステップＳ５）。
【００３８】
ステップＳ５において、歩数カウント値Ｔが電源起動判定値Ｋ未満である場合（ステップＳ５；Ｎｏ）、制御部１３０は、ステップＳ４の処理に戻る。
ステップＳ５において、歩数カウント値Ｔが電源起動判定値Ｋ以上である場合（ステップＳ５；Ｙｅｓ）、制御部１３０は、通信装置１００Ａの各部の電源をＯＮにし（ステップＳ６）、本処理を終了する。
【００３９】
以上に説明した実施の形態１に係る通信装置１００Ａ、電源起動方法、及び、プログラムによれば、当該通信装置１００Ａのユーザの歩数（歩数カウント値Ｔ）が予め設定された電源起動判定値Ｋに達した場合に当該通信装置１００Ａの各部の電源がＯＮになる。そのため、ユーザが、予め電源をＯＮする時刻を当該通信装置１００Ａに入力しておく必要がなく、また、入力した時刻以外で当該通信装置１００Ａを使用する場合にも当該通信装置１００Ａを操作する必要がない。したがって、通信装置１００Ａの利便性が損なわれずに、通信装置１００Ａの各部の電源をＯＮすることができる。よって、利便性を損なわずに消費電力を低減することができる通信装置１００Ａ、電源起動方法、及び、プログラムを提供することができる。
【００４０】
また、ユーザが、表示部１５０に表示された「電源ＯＦＦメニュー」から「電源ＯＦＦ」を選択した場合に、制御部１３０が通信装置１００Ａの全ての各部の電源をＯＦＦにする。そのため、ユーザが「歩数計モード」を希望しない場合には、通信装置１００Ａの全ての各部の電源をＯＦＦにして、消費電力を更に低減することができる。
【００４１】
実施の形態２
次に、図６を参照しながら、本発明の実施の形態２に係る通知装置１００Ｂについて説明する。図６は、本発明の実施の形態２に係る通知装置１００Ｂの構成の一例を示すブロック図である。
本実施の形態２に係る通知装置１００Ｂは、位置推定部としてＧＰＳ（Ｇｌｏｂａｌ  Ｐｏｓｉｔｉｏｎｉｎｇ  Ｓｙｓｔｅｍ）装置１８０を備える点が、実施の形態１に係る通信装置１００Ａと異なる。そのため、実施の形態２に係る通信装置１００Ｂの構成のうち、実施の形態１に係る通信装置１００Ａと同一の構成については、同一の符号を付すとともに、その説明を省略する。
【００４２】
ＧＰＳ装置１８０は、地球を周回する数個の衛星からのＧＰＳ信号を受信し、通信装置１００Ｂの位置を推定する。また、ＧＰＳ装置１８０は、推定した通信装置１００Ｂの位置を制御部１３０に入力する。
【００４３】
記憶部１２０は、通信装置１００の位置毎に電源起動判定値Ｋを記憶している。換言すれば、記憶部１２０は、通信装置１００の位置と、電源起動判定値Ｋとを対応付けて格納している。
また、記憶部１２０は、歩数カウント値Ｔ等を格納する。
また、記憶部１２０は、制御部１３０が実行する各種プログラムを格納している。具体的には、記憶部１２０は、例えば、通信装置１００Ｂの各部の電源をＯＦＦする電源ＯＦＦプログラムを格納している。
【００４４】
制御部１３０は、ユーザによって「電源ＯＦＦメニュー」のうち「歩数計モード」が選択された場合、ＧＰＳ装置１８０から入力された通信装置１００の位置に対応する電源起動判定値Ｋを記憶部１２０から抽出する。そして、制御部１３０は、歩数カウント値Ｔが抽出した電源起動判定値Ｋ以上となった場合に、通信装置１００Ａの各部の電源をＯＮにする。
【００４５】
以上に説明した実施の形態２に係る通信装置１００Ｂ、電源起動方法、及び、プログラムによれば、実施の形態１に係る通信装置１００Ａ、電源起動方法、及び、プログラムと同様の効果を得ることができる。さらに、実施の形態２に係る通信装置１００Ｂ、電源起動方法、及び、プログラムによれば、通信装置１００Ｂが使用される位置に応じて電源がＯＮされる。そのため、例えば、Ｗｉ−Ｆｉ環境に適した歩数で通信装置１００Ｂの各部の電源をＯＮにすることができる。
【００４６】
なお、本発明は上記実施の形態に限られたものではなく、趣旨を逸脱しない範囲で適宜変更することが可能である。例えば、通信装置１００Ｂは、ＧＰＳ装置１８０の代わりに、又は、ＧＰＳ装置１８０の他に、ビーコン（Ｂｅａｃｏｎ）受信機を備えていてもよい。これにより、地下等、ＧＰＳ信号を受信しにくい環境においても、制御部１３０は、通信装置１００Ｂの位置を推定して、推定した通信装置１００Ｂの位置に適した歩数で通信装置１００Ｂの各部の電源をＯＮにすることができる。
【００４７】
上述の実施の形態では、本発明をハードウェアの構成として説明したが、本発明は、これに限定されるものではない。本発明は、図５のフローチャートに記載の処理手順を、ＣＰＵ（Ｃｅｎｔｒａｌ  Ｐｒｏｃｅｓｓｉｎｇ  Ｕｎｉｔ）にコンピュータプログラムを実行させることにより実現することも可能である。
【符号の説明】
【００４８】
１００、１００Ａ、１００Ｂ  通信装置
１１０  加速度センサ
１２０  記憶部
１３０  制御部
１４０  通信部
１５０  表示部
１６０  操作部
１７０  アンテナ
１８０  ＧＰＳ装置
【図１】
2020188339.tif 000003
【図２】
2020188339.tif 000004
【図３】
2020188339.tif 000005
【図４】
2020188339.tif 000006
【図５】
2020188339.tif 000007
【図６】
2020188339.tif 000008